(57)【要約】      （修正有）【課題】文字情報の判読が容易で、属性情報の読み取りが容易な識別プレートを得る。【解決手段】識別対象物を識別するための文字情報が配置されるナンバープレート１００に、不可視光線により読み取可能な、識別対象物としての車両を識別するためのナンバーである文字情報であるＩＤ識別コード１０１及び、車検証の車名、型名、車体の形状等の情報であるＩＤ識別コード１０２が積層されている。【選択図】図２
2017095055.tif 000002
【特許請求の範囲】
【請求項１】
識別対象物に付加する、前記識別対象物を識別するための文字情報が配置される識別プレートであって、
不可視光線により読み取可能な、前記識別対象物の属性情報が格納されているコードが配置される識別プレート。
【請求項２】
前記識別プレートは、
前記文字情報が配置される、可視光線は反射するが不可視光線は反射しない可視光線反射層と、
前記コードが配置される、不可視光線は反射するが可視光線は反射しない不可視光線反射層とが重畳されて構成される請求項１に記載の識別プレート。
【請求項３】
前記識別プレートは、
前記不可視光線反射層と、可視光線を透過するが不可視光線は吸収する不可視光線吸収層と、前記可視光線反射層とが重畳されて構成される請求項２に記載の識別プレート。
【請求項４】
前記識別プレートは、
前記可視光線反射層と、不可視光線を透過するが可視光線は吸収する可視光線吸収層と、前記不可視光線反射層とが重畳されて構成される請求項２に記載の識別プレート。
【請求項５】
前記識別プレートは、
前記識別対象物である乗物に付加するナンバープレートであり、
不可視光線により読み取可能な、前記乗物の属性情報が格納されているコードが付されている請求項１に記載の識別プレート。
【請求項６】
識別対象物に付加する、文字情報が配置される識別プレートの製造方法であって、
前記文字情報が配置される、可視光線は反射するが不可視光線は反射しない可視光線反射層を生成する可視光線反射層が生成される可視光線反射層生成ステップと、
可視光線を透過するが不可視光線は吸収する不可視光線吸収層が、前記可視光線反射層に重畳される不可視光線吸収層重畳ステップと、
不可視光線により読み取可能な、前記識別対象物の属性情報が格納されているコードが配置される、不可視光線は反射するが可視光線は反射しない不可視光線反射層が、前記不可視光線吸収層に重畳される不可視光線反射層重畳ステップとを有する識別プレートの製造方法。
【請求項７】
識別対象物に付加する、文字情報が配置される識別プレートの製造方法であって、
不可視光線により読み取可能な、前記識別対象物の属性情報が格納されているコードが配置される、不可視光線は反射するが可視光線は反射しない不可視光線反射層が生成される不可視光線反射層生成ステップと、
不可視光線を透過するが可視光線は吸収する可視光線吸収層が、前記不可視光線反射層に重畳される可視光線吸収層重畳ステップと、
前記文字情報が配置される、可視光線は反射するが不可視光線は反射しない可視光線反射層が、前記可視光線吸収層に重畳される可視光線反射層重畳ステップとを有する識別プレートの製造方法。
【発明の詳細な説明】
【技術分野】
【０００１】
本発明は、識別対象物に付加する識別プレートに関する。
以下では、識別プレートの例として、車両等に付加するナンバープレートを説明する。
【背景技術】
【０００２】
特許文献１には、文字情報とＩＤ（Ｉｄｅｎｔｉｆｉｅｒ）識別コードとが併記されたナンバープレートが開示されている。
図７は、特許文献１のナンバープレート２００を示す。
特許文献１のナンバープレートは、図７に示すように、陸運支局コード、一連番号等の文字情報が配置されるとともに、ＩＤ識別コード２０１も配置されている。
ＩＤ識別コード２０１は機械による自動読み取りが可能なコードであり、ＩＤ識別コード２０１には車両の登録番号等の車両の属性情報が格納されている。
図８は、特許文献１のナンバープレート２００の積層構造を示す。
図８に示すように、特許文献１のナンバープレート２００では、金属板２１１の上に可視光線反射層２１２が重畳されており、可視光線反射２１２に文字情報が表示されている。
可視光線反射層２１２は、可視光線を反射する。
すなわち、可視光線の反射により、文字情報を外部から視認することができる。
【先行技術文献】
【特許文献】
【０００３】
【特許文献１】特開平５−２５０５９６号公報
【発明の概要】
【発明が解決しようとする課題】
【０００４】
特許文献１のナンバープレートには、以下のような課題がある。
特許文献１のナンバープレートでは、ＩＤ識別コードと文字情報とが併記される。
ナンバープレートのサイズには制約があるため、特許文献１のナンバープレートでは、配置に関してＩＤ識別コードと文字情報とが競合する。つまり、文字情報を大きくするとＩＤ識別コードが小さくなり、機械でＩＤ識別コードを読み取るのが困難になる、又は読み取のために高価な機械が必要となる（例えば、ＩＤ識別コードを大きく写すカメラが必要となる）。一方で、ＩＤ識別コードを大きくすると文字情報が小さくなり、文字情報の判読に支障が出る。
ＩＤ識別コードを大きくすることによって文字情報が小さくなると、特に、デザインプレートにおいて文字情報の判読が困難になる。
近年、海外の一般の自動車用プレートや国内の原動機付自転車のナンバープレートでは、背景（地の部分）に模様をつけたもの（デザインプレート）が普及している。国内でも今後、デザインプレートが原動機付自転車以外への普及拡大が見込まれる。
デザインプレートで背景の模様と文字情報が重なっている場合、背景の模様を除去する処理が必要となり、高速で通過する車両全てのナンバープレートの文字情報をリアルタイムで読み取る装置は高価になるという課題がある。
また、従来から広く使用されている仮ナンバー用のプレート（文字情報上に赤線が引かれている）では文字情報と赤線が重なって映るため、デザインプレートの文字情報を読み取るのと同じ課題がある。
【０００５】
この発明は、このような課題を解決することを主な目的としており、文字情報の判読が容易で、属性情報の読み取りが容易な識別プレートを得ることを主な目的とする。
【課題を解決するための手段】
【０００６】
本発明に係る識別プレートは、
識別対象物に付加する、前記識別対象物を識別するための文字情報が配置される識別プレートであって、
不可視光線により読み取可能な、前記識別対象物の属性情報が格納されているコードが配置される。
【発明の効果】
【０００７】
本発明では、属性情報が格納されているコードを不可視光線により読み取り可能なコードとしたため、文字情報及びコードのいずれも小さくする必要がなく、このため、文字情報の判読が容易で、属性情報の読み取りが容易な識別プレートを得ることができる。
【図面の簡単な説明】
【０００８】
【図１】実施の形態１に係るナンバープレートの文字情報と背景の例を示す図。
【図２】実施の形態１に係るナンバープレートのＩＤ識別コードの例を示す図。
【図３】実施の形態１に係るナンバープレートの積層構造の例を示す図。
【図４】実施の形態１に係るナンバープレートの製造方法の例を示すフローチャート図。
【図５】実施の形態２に係るナンバープレートの積層構造の例を示す図。
【図６】実施の形態２に係るナンバープレートの製造方法の例を示すフローチャート図。
【図７】従来のナンバープレートの例を示す図。
【図８】従来のナンバープレートの積層構造の例を示す図。
【発明を実施するための形態】
【０００９】
実施の形態１．
図１及び図２は、車両に付加するナンバープレート１００を示す。
ナンバープレート１００は、識別プレートの一例である。
【００１０】
図１は、本実施の形態に係るナンバープレート１００に配置されている文字情報を示し、図２は、本実施の形態に係るナンバープレート１００に配置されているＩＤ識別コードを示す。
図１の文字情報は、識別対象物である車両を識別するためのナンバーである。
図２のＩＤ識別コード１０１には、図１の文字情報が格納されている。
また、ＩＤ識別コード１０２には、車検証の車名、型名、車体の形状等の情報が格納されている。
このようにＩＤ識別コード１０１及びＩＤ識別コード１０２には、識別対象物である車両の属性情報が格納されている。
【００１１】
本実施の形態では、図１の文字情報と図２のＩＤ識別コードが積層されてナンバープレート１００が形成されている。
図１の文字情報は肉眼で視認することができる。
すなわち、図１の文字情報は通常のカメラで撮影することができる。
図２のＩＤ識別コードは肉眼では視認することができない。
図２のＩＤ識別コードは、不可視の波長、例えば赤外線で読み取ることができる。
つまり、図２のＩＤ識別コードは、例えば、赤外線カメラで撮影することができる。
【００１２】
図３は、本実施の形態に係るナンバープレート１００の積層構造を示す。
図３に示すように、本実施の形態に係るナンバープレート１００は、金属板１１１の上に可視光線反射層１１２、不可視光線吸収層１１３、不可視光線反射層１１４、保護層１１５が重畳されている。
可視光線反射層１１２は、可視光線を反射する層である。
不可視光線吸収層１１３は、可視光線を透過し、不可視光線（例えば赤外線光）を吸収する層である
不可視光線反射層１１４は、可視光線を透過し、不可視光線は反射する層である。
保護層１１５は、可視光線と不可視光線を透過する層である。
図１の文字情報は可視光線反射層１１２に配置される。
図２のＩＤ識別コード１０１及びＩＤ識別コード１０２は不可視光線反射層１１４に配置される。
このような積層構造とすることで、通常のカメラでナンバープレート１００を撮影した場合は、図１のような文字情報が撮影され、赤外線カメラでナンバープレート１００を撮影した場合は図２のようなＩＤ識別コード１０１及びＩＤ識別コード１０２が撮影される。
なお、保護層１１５は省略可能である。つまり、保護層１１５を設けなくてもよい。
【００１３】
次に、図４を参照して、本実施の形態に係るナンバープレート１００の製造方法を説明する。
【００１４】
まず、ステップＳ４０１において、金属板１１１上に可視光線反射層１１２が生成される（可視光線反射層生成ステップ）。
可視光線反射層１１２には、図１に示すような文字情報が配置される。
【００１５】
次に、ステップＳ４０２において、不可視光線吸収層１１３が可視光線反射層１１２の上に重畳される（不可視光線吸収層重畳ステップ）。
【００１６】
次に、ステップＳ４０３において、不可視光線反射層１１４が不可視光線吸収層１１３の上に重畳される（不可視光線反射層重畳ステップ）。
不可視光線反射層１１４には、図２に示すようなＩＤ識別コードが配置される。
【００１７】
最後に、ステップＳ４０４において、保護層１１５が不可視光線反射層１１４の上に重畳される。
なお、保護層１１５を設けない場合は、ステップＳ４０４は不要である。
【００１８】
このように、本実施の形態によれば、属性情報が格納されているＩＤ識別コードを不可視光線により読み取り可能なコードとしたため、文字情報及びＩＤ識別コードのいずれも小さくする必要がなく、このため、文字情報の判読が容易で、属性情報の読み取りが容易なナンバープレートを得ることができる。
つまり、ナンバープレートの文字情報とＩＤ識別コードを目視できるようにした場合は、文字情報を目視で判読し難くなることがあるが、本実施の形態では、ＩＤ識別コードは目視では見えないので、文字情報の判読には支障が無い。一方で、ＩＤ識別コードは例えば赤外線光により容易に読み取ることができる。
【００１９】
また、本実施の形態では、ＩＤ識別コードを不可視光線により読み取り可能なコードとしたため、従来の文字情報ではできなかった、一部を読み取れなかった時の誤り補正ができるようになる。
つまり、ナンバープレートの文字情報は誤り補正で復元できないが、ＩＤ識別コードを用いることでナンバープレートの一部に汚れが付着する等で撮影できなくても文字情報の復元が可能となる。
【００２０】
また、本実施の形態では、文字情報以外の情報も合わせて識別ＩＤコードに盛り込むことができる。
【００２１】
また、本実施の形態では、ナンバープレートの背景に模様があるものや、仮ナンバープレートなどにおいて、文字と背景の模様が重なって文字読み取りが困難な場合でも、ＩＤ識別コードにより文字情報を取得することができる。
【００２２】
実施の形態２．
図５は、本実施の形態に係るナンバープレート１００の積層構造を示す。
本実施の形態では、金属板１１１の上に不可視光線反射層１１４、可視光線吸収層１１６、可視光線反射層１１２、保護層１１５が重畳されている。
金属板１１１、不可視光線反射層１１４、可視光線反射層１１２、保護層１１５は、実施の形態１で説明したものと同じであるため、説明を省略する。
可視光線吸収層１１６は、不可視光線を透過し、可視光線を吸収する層である
本実施の形態でも、図１の文字情報は可視光線反射層１１２に配置される。
また、図２のＩＤ識別コード１０１及びＩＤ識別コード１０２は不可視光線反射層１１４に配置される。
このような積層構造とすることで、通常のカメラでナンバープレート１００を撮影した場合は、図１のような文字情報が撮影され、赤外線カメラでナンバープレート１００を撮影した場合は図２のようなＩＤ識別コード１０１及びＩＤ識別コード１０２が撮影される。
なお、本実施の形態でも、保護層１１５は省略可能である。つまり、保護層１１５を設けなくてもよい。
【００２３】
次に、図６を参照して、本実施の形態に係るナンバープレート１００の製造方法を説明する。
【００２４】
まず、ステップＳ６０１において、金属板１１１上に不可視光線反射層１１４が生成される（不可視光線反射層生成ステップ）。
不可視光線反射層１１４には、図２に示すようなＩＤ識別コードが配置される。
【００２５】
次に、ステップＳ６０２において、可視光線吸収層１１６が不可視光線反射層１１４の上に重畳される（可視光線吸収層重畳ステップ）。
【００２６】
次に、ステップＳ６０３において、可視光線反射層１１２が可視光線吸収層１１６の上に重畳される（可視光線反射層重畳ステップ）。
可視光線反射層１１２には、図１に示すような文字情報が配置される。
【００２７】
最後に、ステップＳ６０４において、保護層１１５が可視光線反射層１１２の上に重畳される。
なお、保護層１１５を設けない場合は、ステップＳ６０４は不要である。
【００２８】
本実施の形態に係るナンバープレートにおいても、実施の形態１と同様の効果を得ることができる。
【００２９】
なお、実施の形態１及び実施の形態２では、車両に付加するナンバープレートを識別プレートの例にして説明を行ったが識別プレートはナンバープレートに限定されない。
車両以外の乗り物に付加されるプレートでもよいし、従業員証のように人に付加されるプレートでもよいし、値札のような商品や陳列棚に付加されるプレートでもよい。
【符号の説明】
【００３０】
１００  ナンバープレート、１０１  ＩＤ識別コード、１０２  ＩＤ識別コード、１１１  金属板、１１２  可視光線反射層、１１３  不可視光線吸収層、１１４  不可視光線反射層、１１５  保護層、１１６  可視光線吸収層。
【図１】
2017095055.tif 000003
【図２】
2017095055.tif 000004
【図３】
2017095055.tif 000005
【図４】
2017095055.tif 000006
【図５】
2017095055.tif 000007
【図６】
2017095055.tif 000008
【図７】
2017095055.tif 000009
【図８】
2017095055.tif 000010